(57)【要約】【課題】切断刃に触れて、怪我をすることがないように、切断刃にカバーを取り付けた紙等の裁断器用の切断刃であって、カバーは、切断時であっても切断刃の刃先を覆ったままの状態である安全性の高い切断刃、さらに当該切断刃を備えた裁断器を提供する。【解決手段】下縁部に刃先を備え、薄片状の切断対象物を切断する裁断器のテーブルに一側縁側を回動自在に取り付けて使用するカバー付きの切断刃であって、前記カバーは、前記切断刃に取り付ける取付部と当該取付部から下側に延びる延設部とからなり、前記カバーの一側面を、前記取付部で前記切断刃の側面に密着させ、前記延設部の先端縁が前記切断刃の刃先との間に所定の間隔を空けて、前記刃先の下側に位置するまで延びるように前記カバーを切断刃に装着した切断刃によって課題を解決した。【選択図】        図１
2005007554.tif 000002
【特許請求の範囲】
【請求項１】
下縁部に刃先を備え、薄片状の切断対象物を切断する裁断器のテーブルに一側縁側を回動自在に取り付けて使用するカバー付きの切断刃であって、
前記カバーは、前記切断刃に取り付ける取付部と当該取付部から下側に延びる延設部とからなり、
前記カバーの一側面を、前記取付部で前記切断刃の側面に密着させ、前記延設部の先端縁が前記切断刃の刃先との間に所定の間隔を空けて、前記刃先の下側に位置するまで延びるように前記カバーを切断刃に装着したことを特徴とする切断刃。
【請求項２】
カバーの延設部は、先端縁によって切断刃の刃先の下端が下側から覆われるように前記切断刃の刃先の下側に位置するまで延びていることを特徴とする請求項１記載の切断刃。
【請求項３】
カバーは、樹脂製又はゴム製であることを特徴とする請求項１記載の切断刃。
【請求項４】
テーブルの一側縁に請求項１乃至３のいずれか一項記載の切断刃の一側縁を回動自在に取り付けたことを特徴とする裁断器。
【発明の詳細な説明】
【０００１】
【発明の属する技術分野】
この発明は、切断刃に触れて、怪我をすることがないように、切断刃にカバーを取り付けた紙等の裁断器用の切断刃であって、カバーは、切断時であっても切断刃の刃先を覆ったままの状態である安全性の高い切断刃、さらに当該切断刃を備えた裁断器に関する。
【０００２】
【従来の技術】
紙等を切断するのに、テーブル上に載置した対象物に切断刃を押し付けて、当該切断刃の一側面と前記テーブルの端面とを摺り合わせることによる剪断作用で対象物を切断する裁断器が広く使用されている。
【０００３】
このような裁断器の切断刃は、刃先が鋭利なものがあり、また、大判の紙等を切断するものは切断刃自体がかなりの大きさとなるため、誤って落下させたりすると、思わぬ怪我をすることがあった。
【０００４】
このような問題に対処すべく、裁断器を使用しないときは、切断刃の刃先を覆っておく安全カバー、保護カバーが提案されている（実開昭５４−１５４４９２号、特開平９−２２５８９４号）。
【０００５】
また、刃先を待機状態で安全にカバーし、断裁動作で刃が刃先カバーを押し退けて表れて断裁する刃先カバーの提案もされている（実用新案登録第３０７７０３４号）。
【０００６】
【特許文献１】実開昭５４−１５４４９２号公報
【０００７】
【特許文献２】特開平９−２２５８９４号公報
【０００８】
【特許文献３】実用新案登録第３０７７０３４号公報
【０００９】
【発明により解決しようとする課題】
しかし、前記従来の保護カバー、刃先カバーは、いずれも使用時には取り外し、又は、刃先がカバーを押し退けて刃先を露出させて使用するものである。
【００１０】
すなわち、切断の対象物に接触するのはカバーではなく、刃先である。このため、例えば、切断作業の途中で、切断物の歪みを直そうとしたりする際に指先が刃先に触れてしまい、怪我の心配がある。
【００１１】
【課題を解決するための手段】
この発明は、切断刃の不使用時や待機時であっても、常にカバーが刃先を覆った切断刃とすることにより、使用者が刃先に触れる機会をなくし、より安全性の高い切断刃及び裁断器を提供することにより、前記問題点を解決したのである。
【００１２】
すなわち切断刃の発明は、下縁部に刃先を備え、薄片状の切断対象物を切断する裁断器のテーブルに一側縁側を回動自在に取り付けて使用するカバー付きの切断刃であって、前記カバーは、前記切断刃に取り付ける取付部と当該取付部から下側に延びる延設部とからなり、前記カバーの一側面を、前記取付部で前記切断刃の側面に密着させ、前記延設部の先端縁が前記切断刃の刃先との間に所定の間隔を空けて、前記刃先の下側に位置するまで延びるように前記カバーを切断刃に装着したことを特徴とする切断刃である（請求項１）。
【００１３】
ここで、前記カバーの延設部は、先端縁によって切断刃の刃先の下端が下側から覆われるように前記切断刃の刃先の下側に位置するまで延びているものとすることが望ましい（請求項２）。また、前記カバーは、樹脂製又はゴム製であることが望ましい（請求項３）。
【００１４】
また、裁断器の発明は、テーブルの一側縁に前記の切断刃（請求項１乃至請求項３のいずれか一項記載のもの）の一側縁を回動自在に取り付けたことを特徴とする裁断器である（請求項４）。
【００１５】
【発明の実施の形態】
この発明の切断刃及び裁断器は、薄片状の切断対象物を切断する際も刃先をカバーで覆った状態であることが要件となる。このような要件を満たす切断刃及び裁断器であれば、切断対象物を切断できるものである限り基本的にどのような材質であってもよいし、カバーの切断刃への装着の仕方もどのような構成であってもよい。
【００１６】
また、刃の形状は、図２図示のように、符号２ｂを付した面が垂直のものでないもの、例えば、刃の断面形状がＶ字状に拡がったものである場合等も考えられる。このような場合であっても、取付部と延設部とからなるカバーを前記取付部で前記切断部の側面に密着させ、前記延設部の先端縁が前記切断刃の刃先との間に所定の間隔を空けて、前記刃先の下側に位置するまで延びるように前記カバーを切断刃に装着することができる。
【００１７】
さらに、裁断器の形式もどのような形式のものでも適応可能である。
【００１８】
【実施例１】
この発明の切断刃及び裁断器の好ましい実施例について図面に基づいて説明する。図１は、この発明の切断刃１の一実施例の側面図で、図２は、図１中、Ａ−Ａ線で断面とした断面図である。図３は、図１、２図示の切断刃１を取り付けた裁断器３の斜視図であって、この裁断器３は、この発明の裁断器の一実施例である。
【００１９】
（１）  図１図示の切断刃１は、下縁部に刃先２ａを備えた断面Ｌ字状の板体２にカバー７を取り付けて構成されている。ここで、断面Ｌ字状としているのは、切断刃の強度を確保する為である。
【００２０】
また、切断刃１は、長手方向の一側縁側を、切断対象物を切断する裁断器３（図３）のテーブル４に回動自在に取り付けて使用するので、板体２は一側縁側に取付孔５、他側縁側に把手６を備えている。
【００２１】
カバー７は、ゴム製で、図２で断面で示したように、切断刃１に取り付ける取付部７ａと取付部７ａから下側に延びる延設部７ｂとからなる。長手方向には、図１図示のように、板体２の取付孔５から把手までをほぼ全長に亘って覆うことのできる形状となっている。
【００２２】
カバー７の切断刃１への取り付けは、カバー７の一側面を、取付部７ｂで切断刃、すなわち板体２のＬ字状の長辺の内側面２ｃに密着させ、ボルト８ａとネジ８ｂとを用いて留める。
【００２３】
このとき、延設部７ｂの先端縁７ｂ１が板体２（切断刃）の刃先２ａとの間に所定の間隔を空けて、刃先２ａの下側に位置するまで延びるように装着する。すなわち、図２図示のように、カバー７の延設部７ｂは、先端縁７ｂ１によって板体２（切断刃）の刃先２ａの下端が下側から覆われるように板体２（切断刃）の刃先２ａの下側に位置するまで延びた状態とする。
【００２４】
図１（ｂ）は、この発明の切断刃１が取り付けられて構成されるこの発明の裁断機３のテーブル４の一側縁に形成される受け刃（不図示）と擦り合う板体２（切断刃）の面（２ｂ）側からみた側面図である。刃先２ａを覆うように取り付けられたカバー７の先端縁７ｂ１を見ることができる。
【００２５】
（２）  以上のように構成した切断刃１は、図３図示のように裁断器３に取り付けて使用する。
【００２６】
裁断器３は、テーブル４の一側縁の端部４ｂに切断刃１の一側縁に設けた取付孔５（図１）を用いて回動自在に取り付ける。テーブル４の一側縁には受け刃（不図示）が取り付けてある。図３中、符号９は切断刃１の案内板で、符号１０は紙等の切断対象物の押さえ板である。この案内板９、押さえ板１０は一体式で、切断対象物の厚さに応じて上下に移動できるようになっている。符号１１は、持ち運び用の取っ手、符号１２は、紙等の切断対象物のサイズを決めたりする為の定規である。
【００２７】
以上のように構成した裁断器３は、押さえ板１０で紙等の切断対象物を押さえ、切断刃１の取付孔５部分を中心にして矢印１３方向に下向きに回動させ、切断刃１の一面、すなわちカバー７の取付部７ａを取り付けていない面とテーブル４の一側縁に取り付けた受け刃（不図示）を摺り合わせるようにして、その際生じる剪断力によって切断する。このとき、切断対象物に最初に接触し、切断動作中にも一貫して接触しているのはカバー７の延設部７ｂの先端縁７ｂ１である。このため、例えば、切断対象物が曲がってしまった等、刃先２ａ付近に人の手、指などが接触する危険が迫ったときでも、切断刃１の刃先２ａの下端は、常に、カバー７の延設部７ｂの先端縁７ｂ１によって下側から覆われているので、人の手、指などが直接刃先２ａに触れることがなく、安全である。
【００２８】
以上、この発明の好ましい実施例を添付図面を参照して説明したが、この発明はかかる実施例に限定されるものではなく、特許請求の範囲の記載から把握される技術的範囲において種々な形態に変更可能である。
【００２９】
【発明の効果】
この発明によると、取付部と延設部とからなるカバーの一側面を、前記取付部で前記切断刃の側面に密着させ、前記延設部の先端縁が前記切断刃の刃先との間に所定の間隔を空けて、前記刃先の下側に位置するまで延びるように前記カバーを切断刃に装着し、また、前記カバーの延設部は、先端縁によって切断刃の刃先の下端が下側から覆われるように前記切断刃の刃先の下側に位置するまで延びているようにしたので、待機時のみならず、切断時にも刃先がカバーに覆われていて安全に切断作業を行うことができる。
【００３０】
また、カバーを、樹脂製又はゴム製することによってその弾力性により、切断刃への密着性が高まり、安全性を向上させることができる。
【図面の簡単な説明】
【図１】（ａ）この発明の切断刃の実施例の拡大側面図。
（ｂ）（ａ）とは、反対側からみた拡大側面図。
【図２】同じく図１中、Ａ−Ａ線における拡大端面図。
【図３】同じくこの発明の裁断器の一例の斜視図。
【符号の説明】
１  切断刃
２  板体
２ａ  刃先
３  裁断器
４  テーブル
５  取付孔
６  把手
７  カバー
７ａ  取付部
７ｂ  延設部
７ｂ１  先端縁
【図１】
2005007554.tif 000003
【図２】
2005007554.tif 000004
【図３】
2005007554.tif 000005